(57)【要約】遠赤外線を放射するように加熱されたときに適合したセラミック製ラジエータを利用するヘアドライヤ（１０）であって、吸気口（２４）を規定する吸気口端部と排気口（２８）を規定する排気口端部（２６）とを有する細長本体（２０）と、吸気口に空気を吸い込ませて、空気を本体を通して動かし、空気を排気口から送り出すときに適合したファン（４０）と、ファンを駆動するようにエネルギー付与した場合に適合した電気モータ（５０）と、細長本体内部のファンと排気口との間に取り付けられた電気ヒータ（６０）とを備える。セラミックラジエータは、排気口端部にまたはその付近にて細長本体に取り付けられて、エネルギー付与されたときに電気ヒータにより放射的に加熱され、かつ電気モータにエネルギー付与されたときにファンにより細長本体を通って動かされた空気によってさらに加熱され、電気ヒータにエネルギー付与されたときに電気ヒータにより加熱される。
2004524120.tif 000002
【特許請求の範囲】
【請求項１】
遠赤外線を放射するように加熱されたときに適合したセラミックから作製されたラジエーターを利用するヘアドライヤであって、該ヘアドライヤは、
細長本体であって、該本体は、吸気口を規定する吸気口端部および排気口を規定する排気口端部を有する、細長本体と、
ファンであって、該ファンは、該吸気口に空気を吸い込ませて、空気を該細長本体を通して動かし、空気を該排気口から送り出すときに適合した、ファンと、
電気モーターであって、該ファンを駆動するようにエネルギー付与する場合に適合した、電気モーターと、
電気ヒーターであって、該電気ヒーターは、該細長本体内部の該ファンと該排気口との間に取り付けられた、電気ヒーター
とを備え、
該セラミックラジエーターは、該排気口端部にまたは該排気口端部付近にて該細長本体に取り付けられて、エネルギー付与されたときに該電気ヒーターにより放射的に加熱され、かつ該電気モーターにエネルギー付与されたときに該ファンにより該細長本体を通って動かされた空気によってさらに加熱され、そして該電気ヒーターにエネルギー付与されたときに該電気ヒーターにより加熱される、
ヘアドライヤ。
【請求項２】
請求項１に記載のヘアドライヤであって、前記セラミックラジエーターは、外側ほぼ円筒状の縁部を有し、前記ヘアドライヤは、ほぼ管状のアダプタをさらに備え、該ほぼ管状のアダプタに該セラミックラジエーターが該排気口端部に取り付けられ、そして該細長本体および該ほぼ管状のアダプタは、それぞれの形成物を有し、該細長本体および該ほぼ管状のアダプタは、該排気口端部にてまたは排気口端部付近にて、該細長本体に該セラミックラジエーターを取り付けるために、ともにスナップはめするように適合した、ヘアドライヤ。
【請求項３】
請求項１に記載のヘアドライヤであって、前記セラミックラジエーターは、外側ほぼ円筒状の縁部を有し、該ヘアドライヤは、ほぼ管状のアダプタをさらに備え、該ほぼ管状のアダプタに該セラミックラジエーターが前記排気口端部にて取り付けられており、該細長本体および該ほぼ管状のアダプタは、それぞれの形成物を有し、該細長本体および該ほぼ管状のアダプタは、該排気口内部の該排気口端部にてまたは排気口端部付近にて、該細長本体に該セラミックラジエーターを取り付けるために、ともにスナップはめするように適合した、ヘアドライヤ。
【請求項４】
請求項１に記載のヘアドライヤであって、前記セラミックラジエーターは、複数の開口部を有する格子として構成され、エネルギー付与されたときに前記ファンによって前記細長本体を通って動くときに、該複数の開口部を通って空気が流れ得る、ヘアドライヤ。
【請求項５】
請求項２に記載のヘアドライヤであって、前記セラミックラジエーターは、複数の開口部を有する格子として構成され、エネルギー付与されたときに前記ファンによって前記細長本体を通って動くときに、該複数の開口部を通って空気が流れ得る、ヘアドライヤ。
【請求項６】
請求項３に記載のヘアドライヤであって、前記セラミックラジエーターは、複数の開口部を有する格子として構成され、エネルギー付与されたときに前記ファンによって前記細長本体を通って動くときに、該複数の開口部を通って空気が流れ得る、ヘアドライヤ。
【発明の詳細な説明】
【技術分野】
【０００１】
（発明の分野）
本発明は、加熱された場合に、遠赤外線を発するように適合された、セラミックでできたラジエータを用いるヘアドライヤに関する。
【背景技術】
【０００２】
（発明の背景）
従来、ヘアドライヤは、ニッケル−クロム（Ｎｉ−Ｃｒ）ワイヤ等の電熱線を用いて熱対流のみに依存してユーザの毛髪を乾燥させる。
【０００３】
米国特許第６，２０５，６７７号（国際出願ＰＣＴ／ＫＲ９９／００３３６）に例示されるように、ヘアドライヤは遠赤外線を発するヒータを用いることが公知である。この明細書中に例示されるように、遠赤外線を発するヒータはハロゲンヒータである。これは、ガスで満たされた石英管（ｑｕａｒｔｚ  ｔｕｂｅ）内に電熱線を備える。このようなヘアドライヤは、遠赤外線および熱対流を用いてユーザの毛髪を乾燥させる。
【０００４】
二酸化ケイ素（ＳｉＯ２）および酸化アルミニウム（ＡＬ２Ｏ２）を含む特定のセラミックは、加熱された場合に、遠赤外線を発することが知られている。いくつかの刊行物において、遠赤外線に帰因する生物学的および生理学的効果に基づいて、日本、韓国その他の国の研究者によって、遠赤外線を発するこのようなセラミックはバイオセラミックと呼ばれる。さらに、いくつかの刊行物において、遠赤外線は、「ＦＩＲ」という略語で呼ばれる。
【０００５】
上記および下記において、遠赤外線は、天文学および天文物理学における極めて広い範囲を意味するが、遠赤外線は約５ミクロン〜約１５ミクロンの範囲の波長を有する電磁放射線を指す。
【発明の開示】
【課題を解決するための手段】
【０００６】
（発明の要旨）
本発明は、加熱された場合に、遠赤外線を発するように適合された、バイオセラミック等のセラミックでできたラジエータを用いるヘアドライヤを提供する。ラジエータのために適切なセラミックは、Ｔａｅ  Ｙａｎｇ  Ｉｎｄ．Ｃｏ．、Ｍａｊｕｎｇｏｎｇ  ８７−１、Ｓｕｇｕ、Ｉｎｃｈｏｎ、ＫｏｒｅａからＣＥＬＡＭＩＮＥという商品名の下で市販されている。
【０００７】
ヘアドライヤは、吸気口を規定する吸気口端部および排気口を規定する排気口側端を有する細長本体を備える。このヘアドライヤは、さらに、作動された場合、空気を吸気口に吸込み、細長本体を通って空気を移動させ、そして排気口から空気を吹き出すように適合されたファン、およびエネルギー付与された場合、ファンが作動するように適合された電気モータを備える。このヘアドライヤは、細長本体の中のファンと排気口との間に取付けられた電気ヒータをさらに備える。
【０００８】
本発明は、セラミックラジエータが細長本体の排気口側端またはその近傍に取り付けられ、従って、エネルギー付与された場合、電気ヒータによって放射加熱され、および、電気モータにエネルギー付与された場合、空気がファンによって細長本体を通って移動され、電気ヒータにエネルギー付与された場合、電気ヒータによって空気が加熱されることによってさらに加熱されるように考えられている。
【０００９】
好適には、細長本体（排気口側端またはその近傍）およびセラミックラジエータは、それぞれ形成物を有する。これは、セラミックラジエータが細長本体に、その排気口側端またはその近傍にてスナップはめされることを可能にする。好適な実施形態において、このような形成物は、セラミックラジエータが細長本体にその排気口側端またはその近傍にてスナップはめされることを可能にする。好適には、電気ヒータは、エネルギー付与された場合、ファンによって空気が細長本体を通って移動される空気が流れ得る、複数の開口部を有する格子（ｇｒｉｌｌｅ）として構成される。
【００１０】
遠赤外線に帰属する、特に、ヘアドライヤと関連する特定の効果の議論について、米国特許第６，２０５，６７７号（前出）の開示は、参考として本明細書中に援用される。
【００１１】
（好適な実施形態の詳細な説明）
示されるように、上述のセラミックラジエータ１００を用いるヘアドライヤ１０は、本発明の好適な実施形態を構成する。後述される様式で加熱された場合に、セラミックラジエータ１００は、遠赤外線、すなわち、約５ミクロン〜約１５ミクロンの範囲の波長を有する電磁放射線を発する。
【００１２】
ヘアドライヤ１０は、吸気口２４を規定する吸気口端部２２および排気口２８を規定する排気口側端２６を有する細長本体２０を有し、これは、電気スイッチング手段３２を取付けた付属（ａｔｔａｃｈｅｄ）ハンドル３０を有する。細長本体２０は、ヘアドライヤに従来用いられるタイプの断熱材料３４、３６で裏当てされる。
【００１３】
ヘアドライヤ１０は、ファン４０と電気モータ５０とをさらに備え、このファン４０は、駆動した場合に吸気口２４に空気を引き込むように、細長本体２０を通して空気を動かすように、そして排気口２８から空気を送るように、適合されており、そしてこの電気モータ５０は、エネルギー付与した場合にロータリーシャフト４２を介してファン４０を駆動するように適合されている。ヘアドライヤ１０は、このファン４０と排気口２８との間に電気ヒータ６０をさらに備え、この電気ヒータ６０は、細長本体２０の内部に取り付けられており、そして加熱ワイヤ（例えば、ニッケル−クロム（Ｎｉ−Ｃｒ）ワイヤ）の細長コイル６２を備える。この細長コイル６２は、取付けタブ６６を介して細長本体２０の内部に取り付けられている。
【００１４】
このファン４０および電気ヒータ６０は、電気スイッチ手段３２により制御され、この電気スイッチ手段３２を介して、ファン４０および電気ヒータ６０は、電力源（示されず）に接続可能である。この電気スイッチ手段３２は、ファン４０を制御しかつ電気ヒータ６０を制御するための単一スイッチ４４を備え得るか、または望ましい場合は、ファン４０を制御するための別個のスイッチ（示されず）と電気ヒータ６０を制御するための別個のスイッチ（示されず）とを備え得る。従って、このファン４０および電気ヒータ６０は、各々についての単一の設定でかまたは一方もしくは両方についての選択可能な複数の設定で、制御され得る。
【００１５】
細長本体２０に排気口側端２６にて取り付けられているので、セラミックラジエータ１００は、ほぼ円筒状の外縁１０２と複数の開口部１０４とを有する格子として構成されており、この複数の開口部１０４は、交差部材１０６により規定されている。エネルギー付与された場合にファン４０によって空気が細長本体２０を通って移動した場合、この開口部１０４を通って、空気が流れ得る。
【００１６】
内端１１２と、外端１１４と、半径方向内向きに突出している２つの周囲リブ１１６とを有する、ほぼ管状のアダプタ１１０が提供され、このアダプタ１１０の内部に、これらのリブ１１６の間にセラミックラジエータ１００が取り付けられる。この細長本体２０は排気口側端２６に、このほぼ管状のアダプタ１１０は内端１１２に、個別の形成物１０８、１１８を有する。これらの形成物１０８、１１８によって、このほぼ管状のアダプタ１１０を、細長本体２０上に排気口側端２６にて排気口２８内にスナップはめし、それにより、セラミックラジエータ１００を細長本体２０上に排気口側端２６にて取り付けることが可能になる。
【００１７】
細長本体２０に取り付けられて、上記のように排気口側端２６に、セラミックラジエーター１００が、上記電気ヒータ６０にエネルギーが与えられるときこの電気ヒータ６０により光または熱を放って加熱されるように、そして上記電気モータ５０にエネルギーが与えられているとき、ファン４０により上記細長い本体２０を通って移動され、かつ上記電気ヒータ６０にエネルギーが与えられているとき、電気ヒータ６０により加熱される空気によりさらに加熱されるように、取り付けられる。
【００１８】
内端１２２にある流れ変更器１２０、および内端１１２にあるほぼ管状のアダプタ１１０は、同様の形成物１２４、１２６を有し、これは、流れ濃縮器１２０がほぼ管状のアダプタ１１０上にスナップはめすることを可能にする。セラミックラジエータ１００および管状アダプタ１１０が提供されないとき、この流れ濃縮器１２０は、排気口２８内の外端２６において上記細長本体２０上にスナップはめされ得る。示されるように、上記流れ変更器１２０は、ヘアドライヤ上に一般に提供される公知のタイプの流れ濃縮器である。あるいは、この流れ変更器は、ヘアドライヤ上に一般に提供される公知のタイプの流れ拡散器（図示せず）であり得る。
【００１９】
広義には、上記ほぼ管状のアダプタ１００は取り付け可能であり、そしてそうでなければ、そこには流れ変更器１２０が取り付けられるので、本発明は、セラミックラジエータ１００のようなセラミックラジエータが、流れ濃縮器または流れ拡散器を上記細長本体の排気口側端にか、またはその近傍において、この細長本体上にスナップはめさせる適切な形成物をもつ細長本体を有する任意のヘアドライヤに容易に適合することを可能にする。
【００２０】
熱対流のみに依存する公知のヘアドライヤと比較したとき、上記ヘアドライヤ１０は、低温で、かつより高い効率で有効に操作され得る。
【図面の簡単な説明】
【００２１】
【図１】図１は、上述の、および本発明の好適な実施形態を構成するセラミックラジエータを用いるヘアドライヤーの長手方向の断面図である。
【図２】図２は、矢印によって表示された方向の図１の線２−２に沿った横断面図である。
【国際公開パンフレット】
2004524120.tif 000003
2004524120.tif 000004
2004524120.tif 000005
2004524120.tif 000006
2004524120.tif 000007
2004524120.tif 000008
2004524120.tif 000009
2004524120.tif 000010
2004524120.tif 000011
2004524120.tif 000012
2004524120.tif 000013
【国際公開パンフレット（コレクトバージョン）】
2004524120.tif 000014
2004524120.tif 000015
【国際調査報告】
2004524120.tif 000016